(57)【要約】      （修正有）【課題】ユーザーが高精細度映像情報の連続的な視聴及び無線ネットワークの使用料の低減ができる無線放送信号と無線ネットワーク信号の視聴切替え方法を提供する。【解決手段】某テレビ局のネットワーク高精細度映像を探し出し、且つ受信中の当該テレビ局のチャンネルの無線放送信号がよくなったときは、第１探索処理を行い、当該テレビ局のネットワーク高精細度映像を視聴するときは、第２探索処理を行う。【効果】車両移動中に無線放送信号が悪いために同一テレビ局の無線高精細度映像の連続的な視聴ができなくなる可能性を低減できるとともに、無線ネットワークを用いて当該テレビ局のネットワーク高精細度映像を視聴したことによって発生する費用を低減できる。【選択図】図３
2015211467.tif 000002
【特許請求の範囲】
【請求項１】
無線放送信号と無線ネットワーク信号の視聴切替え方法であって、ｎ（ｎ≧２且つｎは自然数である）個の高周波受信通信路を有する無線放送受信装置によって前記無線放送信号を受信及び／又は探索し、１個の無線通信装置によって前記無線ネットワーク信号を受信し、１個の前記高周波受信通信路は１個のアンテナと前記アンテナに付随する１個のチューナを含み、且つ各前記アンテナの特性が同じで、各前記チューナの特性が同じであり、前記無線放送信号の受信及び／又は探索中に、前記無線放送受信装置に一部の前記高周波受信通信路を含んで構成された受信部によって某テレビ局の某チャンネルＡの前記無線放送信号を受信させるとともに、その他の一部の前記高周波受信通信路を含んで構成された探索部によって探索をさせることができ、前記探索とはテレビ放送バンドにおいて前記テレビ局のすべてのチャンネルの前記無線放送信号を逐一受信することをいい、
（１−１）ステップ、（１−２）ステップ、（１−３）ステップ、（１−４）ステップ、（１−５）ステップ、（１−６）ステップ、（１−７）ステップ、（１−８）ステップ、（１−９）ステップ、（１−１０）ステップ、（１−１１）ステップ、（１−１２）ステップ、（１−１３）ステップ、及び（１−１４）ステップを含み、
前記（１−１）ステップでは、ｎ個の前記高周波受信通信路のすべてにより構成された受信部Ｒｎを用いて前記テレビ局の前記チャンネルＡの前記無線放送信号を受信し、前記テレビ局の放送高精細度映像情報を再生し、このとき、前記テレビ局の前記チャンネルＡを現在受信チャンネルとし、
前記（１−２）ステップでは、前記現在受信チャンネルの前記無線放送信号の信号強度を検出し、
前記（１−３）ステップでは、検出された前記現在受信チャンネルの前記無線放送信号の信号強度が閾値ｔｎ−１より大きい又は同等であるときは、前記（１−２）ステップに戻り、そうでないときは、前記（１−４）ステップに進み、
前記（１−４）ステップでは、前記無線通信装置を用いてネットワークにおいて前記テレビ局の前記放送高精細度映像情報と同じ内容のネットワーク高精細度映像情報が存在するか否か探し、前記ネットワーク高精細度映像情報を探し出したときは、前記（１−５）ステップに進み、そうでないときは、前記（１−１２）ステップに進み、
前記（１−５）ステップでは、前記ネットワーク高精細度映像情報に対応した前記無線ネットワーク信号の受信を開始し、
前記（１−６）ステップでは、検出された前記現在受信チャンネルの前記無線放送信号の信号強度が閾値ｔｎより小さいときは、前記現在受信チャンネルの前記無線放送信号の受信を維持するものの、前記テレビ局の前記放送高精細度映像情報の再生を停止し、前記ネットワーク高精細度映像情報の再生に切替え、前記（１−７）ステップに進み、そうでないときは、前記無線ネットワーク信号の受信を停止し、第１探索処理を行い、ここで、前記閾値ｔｎ−１は前記閾値ｔｎより大きいものとし、
前記（１−７）ステップでは、第２探索処理を行い、
前記（１−８）ステップでは、前記受信部Ｒｎを用いて前記第２探索処理によって取得された前記テレビ局の某チャンネルＢの前記無線放送信号を受信し、このとき、前記テレビ局の前記チャンネルＢを前記現在受信チャンネルとし、前記現在受信チャンネルの前記無線放送信号の信号強度を検出し、
前記（１−９）ステップでは、前記（１−８）ステップで検出された前記現在受信チャンネルの前記無線放送信号の信号強度が前記閾値ｔｎより大きい又は同等であるときは、前記無線ネットワーク信号の受信を停止し、前記ネットワーク高精細度映像情報の再生を停止し、前記テレビ局の前記放送高精細度映像情報の再生に切り替え、前記第１探索処理を行い、前記（１−８）ステップで検出された前記現在受信チャンネルの前記無線放送信号の信号強度が前記閾値ｔｎより小さいときは、前記（１−１０）ステップに進み、
前記（１−１０）ステップでは、無線ネットワーク使用料が事前設定値を超えたときは、前記（１−１１）ステップに進み、そうでないときは、前記（１−７）ステップに戻り、
前記（１−１１）ステップでは、前記（１−８）ステップで検出された前記現在受信チャンネルの前記無線放送信号の信号強度が閾値ｔｎ＋１より大きい又は同等であるときは、前記無線ネットワーク信号の受信を停止し、前記ネットワークの高精細度映像情報の再生を停止し、前記（１−１２）ステップに進み、そうでないときは、前記（１−７）ステップに戻り、ここで、前記閾値ｔｎは前記閾値ｔｎ＋１より大きいものとし、
前記（１−１２）ステップでは、前記テレビ局の放送標準精細度映像情報の再生を開始し、前記テレビ局の前記放送標準精細度映像情報は前記テレビ局の前記放送高精細度映像情報と内容が同じであるが、前記テレビ局の前記放送標準精細度映像情報ほうが前記テレビ局の前記放送高精細度映像情報より精細度が小さく、
前記（１−１３）ステップでは、検出された前記現在受信チャンネルの前記無線放送信号の信号強度が前記閾値ｔｎより大きい又は同等であるときは、前記テレビ局の前記放送標準精細度映像情報の再生を停止し、前記テレビ局の前記放送高精細度映像情報の再生に切り替え、前記第１探索処理を行い、検出された前記現在受信チャンネルの前記無線放送信号の信号強度が前記閾値ｔｎより小さいときは、前記（１−１４）ステップに進み、
前記（１−１４）ステップでは、前記ネットワーク高精細度映像情報の再生の開始を所望するときは、前記（１−４）ステップに進み、そうでないときは、前記（１−１３）ステップに戻る
ことを特徴とする無線放送信号と無線ネットワーク信号の視聴切替え方法。
【請求項２】
請求項１に記載の無線放送信号と無線ネットワーク信号の視聴切替え方法であって、
前記第１探索処理は、（２−１）ステップ、（２−２）ステップ、（２−３）ステップ及び（２−４）ステップを含み、
前記（２−１）ステップでは、前記現在受信チャンネルの前記無線放送信号の信号強度を取得し、
前記（２−２）ステップでは、前記（２−１）ステップで取得された前記現在受信チャンネルの前記無線放送信号の信号強度が閾値ｔ１より大きい又は同等であるときは、１個の前記高周波受信通信路により構成された受信部Ｒ１を用いて前記現在受信チャンネルの前記無線放送信号を受信するとともに、ｎ−１個の前記高周波受信通信路により構成された探索部Ｓ１を用いて前記探索を行い、
前記探索部Ｓ１の前記探索の中に、前記探索部Ｓ１に対応した前記受信部Ｒ１によって受信された前記現在受信チャンネルの前記無線放送信号の信号強度が前記閾値ｔｎ−１より小さいときは、前記探索を停止し、２個の前記高周波受信通信路により構成された受信部Ｒ２を用いて前記現在受信チャンネルの前記無線放送信号を受信し、ｎ−２個の前記高周波受信通信路により構成された探索部Ｓ２を用いて再度前記探索を行い、そうでないときは、前記探索を完了し、前記（２−４）ステップに進み、
前記（２−１）ステップで取得された前記現在受信チャンネルの前記無線放送信号の信号強度が閾値ｔ２より大きい又は同等で且つ前記閾値ｔ１より小さいときは、前記受信部Ｒ２を用いて前記現在受信チャンネルの前記無線放送信号を受信するとともに、前記探索部Ｓ２を用いて前記探索を行い、ここで、前記閾値ｔ１は前記閾値ｔ２より大きいものとし、
前記探索部Ｓ２の前記探索中に、前記探索部Ｓ２に対応した前記受信部Ｒ２によって受信された前記現在受信チャンネルの前記無線放送信号の信号強度が前記閾値ｔｎ−１より小さいときは、前記探索を停止し、３個の前記高周波受信通信路により構成された受信部Ｒ３を用いて前記現在受信チャンネルの前記無線放送信号を受信し、ｎ−３個の前記高周波受信通信路により構成された受信部Ｓ３を用いて再度前記探索を行い、そうでないときは、前記探索を完了し、前記（２−４）ステップに進み、
このように、前記（２−１）ステップで取得された前記現在受信チャンネルの前記無線放送信号の信号強度が閾値ｔｋ（１≦ｋ≦ｎ−１且つｋは自然数である）より大きい又は同等で且つ前記閾値ｔｋ−１より小さいときは、前記受信部ＲＫを用いて前記現在受信チャンネルの前記無線放送信号を受信するとともに、前記探索部ＳＫを用いて前記探索を行い、ここで、前記閾値ｔｋ−１は前記閾値ｔｋより大きいものとし、
前記探索部ＳＫの前記探索中に、前記探索部ＳＫに対応した前記受信部ＲＫによって受信された前記現在受信チャンネルの前記無線放送信号の信号強度が前記閾値ｔｎ−１より小さいときは、前記探索を停止し、ｋ＋１個の前記高周波受信通信路により構成された受信部Ｒｋ＋１を用いて前記現在受信チャンネルの前記無線放送信号を受信し、ｎ−ｋ−１個の前記高周波受信通信路により構成された探索部Ｓｋ＋１を用いて再度前記探索を行い、前記探索を完了し、前記（２−４）ステップに進み、
前記（２−１）ステップで取得された前記現在受信チャンネルの前記無線放送信号の信号強度が前記閾値ｔｎ−１より小さいときは、前記（２−３）ステップに進み、
前記（２−３）ステップでは、前記受信部Ｒｎを用いて前記現在受信チャンネルの前記無線放送信号の信号を受信し、前記受信部Ｒｎによって受信された前記現在受信チャンネルの前記無線放送信号の信号強度が前記閾値ｔｎ−１より小さいときは、前記第１探索処理を終了し、前記（１−４）ステップに進み、そうでないときは、前記（２−１）ステップに戻り、
前記（２−４）ステップでは、複数の、前記テレビ局の前記放送高精細度映像情報に対応したチャンネルの前記無線放送信号が探索できたときは、前記受信部Ｒｎを用いて探索された複数の、前記テレビ局の前記放送高精細度映像情報に対応したチャンネルの前記無線放送信号のうちの信号強度が最大である前記無線放送信号を受信し、その対応した前記テレビ局の前記放送高精細度映像情報を再生し、このとき、探索された信号強度が最大である前記無線放送信号のチャンネルを新たな前記現在受信チャンネルとし、前記（２−１）ステップに戻り、
１個の、前記テレビ局の前記放送高精細度映像情報に対応したチャンネルの前記無線放送信号しか探索できなかったときは、受信部Ｒｎを用いて探索されたチャンネルの前記無線放送信号を受信し、その対応した前記テレビ局の前記高精細度映像情報を再生し、このとき、探索された前記無線放送信号のチャンネルを新たな前記現在受信チャンネルとし、前記（２−１）ステップに戻る
ことを特徴とする無線放送信号と無線ネットワーク信号の視聴切替え方法。
【請求項３】
請求項２に記載の無線放送信号と無線ネットワーク信号の視聴切替え方法であって、
前記閾値ｔｋ、前記閾値ｔｎ、前記閾値ｔｎ＋１は、予め特定された信号強度値であり、
前記閾値ｔｎは、受信された前記無線放送信号の信号強度が前記閾値ｔｎより小さいときは、受信された前記無線放送信号に対応した前記高精細度映像情報の連続的な再生ができない閾値として設定され、
前記閾値ｔｎ＋１は、受信された前記無線放送信号の信号強度が前記閾値ｔｎ＋１より小さいときは、受信された前記無線放送信号に対応した前記標準精細度映像情報の連続的な再生ができない閾値として設定されている
ことを特徴とする無線放送信号と無線ネットワーク信号の視聴切替え方法。
【請求項４】
請求項３に記載の無線放送信号と無線ネットワーク信号の視聴切替え方法であって、
前記第２探索処理は、（４−１）ステップ、（４−２）ステップ、（４−３）ステップ及び（４−４）ステップを含み、
前記（４−１）ステップでは、前記受信部Ｒｎを用いて前記現在受信チャンネルの前記無線放送信号を受信し、
前記（４−２）ステップでは、検出された前記受信部Ｒｎ中のいずれの前記高周波受信通信路によって受信された前記現在受信チャンネルの前記無線放送信号の信号強度も前記閾値ｔｎ＋１より小さいときは、ｎ個の前記高周波受信通信路のすべてで探索部Ｓｈ１及び探索部Ｓｈ２をそれぞれ構成し、前記探索部Ｓｈ１を用いて半分の前記テレビ放送バンドにおいて前記探索を行い、前記探索部Ｓｈ２を用いてその他の半分の前記テレビ放送バンドにおいて前記探索を行い、ここで、ｎが偶数であるときは、前記探索部Ｓｈ１及び前記探索部Ｓｈ２に含まれる前記高周波受信通信路の個数が同じで、ｎが奇数であるときは、前記探索部Ｓｈ１及び前記探索部Ｓｈ２に含まれる前記高周波受信通信路の個数は１個だけ異なり、
前記探索部Ｓｈ１及びＳｈ２によって前記テレビ局の前記放送高精細度映像情報に対応した前記無線放送信号を探索できないときは、２個の前記探索部を１個の探索部Ｓｎに併合して、前記探索部Ｓｎを用いて探索を開始し、前記テレビ局の前記放送高精細度映像情報に対応した前記無線放送信号が探索されるまで探索を行い、前記（４−４）ステップに進み、
前記（４−３）ステップでは、検出された前記受信部Ｒｎ中のいずれかの前記高周波受信通信路によって受信された前記現在受信チャンネルの前記無線放送信号の信号強度が前記閾値ｔｎ＋１より大きい又は同等あるときは、前記受信部Ｒ１を用いて前記現在受信チャンネルの前記無線放送信号を受信するとともに、さらに前記探索部Ｓ１を用いて前記探索を行い、前記探索を完了してから前記（４−４）ステップに進み、
前記（４−４）ステップでは、複数の、前記テレビ局の前記放送高精細度映像情報に対応したチャンネルの前記無線放送信号が探索できたときは、前記受信部Ｒｎを用いて複数の、前記テレビ局の前記放送高精細度映像情報に対応したチャンネルの前記無線放送信号のうちの信号強度が最大である前記無線放送信号を受信し、その対応したチャンネルを新たな前記現在受信チャンネルとし、前記第２探索処理を終了し、前記（１−８）ステップに進み、
１個の、前記テレビ局の前記放送高精細度映像情報に対応したチャンネルの前記無線放送信号しか探索できなかったときは、前記受信部Ｒｎを用いて探索されたチャンネルの前記無線放送信号を受信し、その対応したチャンネルを新たな前記現在受信チャンネルとし、前記第２探索処理を終了し、前記（１−８）ステップに進む
ことを特徴とする無線放送信号と無線ネットワーク信号の視聴切替え方法。
【発明の詳細な説明】
【技術分野】
【０００１】
本発明は、無線放送信号と無線ネットワーク信号の視聴切替え方法に関し、特に車両走行中における無線放送信号と無線ネットワーク信号の視聴切替え方法に関する。
【背景技術】
【０００２】
従来、車両走行中に、車載テレビ視聴システムは、無線放送信号を用いて放送高精細度映像情報を視聴し、受信した無線放送信号では某テレビ局の某チャンネルの放送高精細度映像情報の連続的な視聴が保証できない場合は、同様の当該テレビ局の他のチャンネルを探索するとともに、当該テレビ局の画質が比較的に低い放送標準精細度映像情報の視聴に自動的に切り替えていた。しかし、これによってユーザーは観賞効果の面で影響を受けてしまう。
【０００３】
また、無線放送信号が弱い地域では、無線放送信号を正確に受信することが困難であるため、ユーザーは連続的に観賞することができなくなる。特許文献１では、無線放送信号と無線ネットワーク信号の視聴切替え方法が提案されている。受信した無線放送信号の信号強度では連続的な視聴が保証できないときは、当該無線放送信号の受信を停止し、無線ネットワークへの接続を開始し、無線ネットワークを用いて同じ内容のネットワーク高精細度映像情報の視聴を行う。しかし、無線ネットワークに接続しネットワークにおいて対応したネットワーク高精細度映像情報を探すには一定の時間がかかり、その間ユーザーは観賞することができない。また、常に無線ネットワークを利用すると、使用したデータ通信量に応じて相当額の費用が発生する。
【先行技術文献】
【特許文献】
【０００４】
【特許文献１】日本特開２００９−７４８８１号公報
【発明の概要】
【発明が解決しようとする課題】
【０００５】
本発明は、ユーザーが高精細度映像情報の連続的な視聴及び無線ネットワークの使用料の低減ができる無線放送信号と無線ネットワーク信号の視聴切替え方法を提供することを目的とする。
【課題を解決するための手段】
【０００６】
上記課題を解決するために、本発明に係る、無線放送信号と無線ネットワーク信号の視聴切替え方法は、ｎ（ｎ≧２且つｎは自然数である）個の高周波受信通信路を有する無線放送受信装置によって前記無線放送信号を受信及び／又は探索し、１個の無線通信装置によって前記無線ネットワーク信号を受信し、１個の前記高周波受信通信路は１個のアンテナと前記アンテナに付随する１個のチューナを含み、且つ各前記アンテナの特性が同じで、各前記チューナの特性が同じであり、前記無線放送信号の受信及び／又は探索中に、前記無線放送受信装置に一部の前記高周波受信通信路を含んで構成された受信部によって某テレビ局の某チャンネルＡの前記無線放送信号を受信させるとともに、その他の一部の前記高周波受信通信路を含んで構成された探索部によって探索をさせることができ、前記探索とはテレビ放送バンドにおいて前記テレビ局のすべてのチャンネルの前記無線放送信号を逐一受信することをいい、
本発明に係る無線放送信号と無線ネットワーク信号の視聴切替え方法は、（１−１）ステップ、（１−２）ステップ、（１−３）ステップ、（１−４）ステップ、（１−５）ステップ、（１−６）ステップ、（１−７）ステップ、（１−８）ステップ、（１−９）ステップ、（１−１０）ステップ、（１−１１）ステップ、（１−１２）ステップ、（１−１３）ステップ、及び（１−１４）ステップを含み、前記（１−１）ステップでは、ｎ個の前記高周波受信通信路のすべてにより構成された受信部Ｒｎを用いて前記テレビ局の前記チャンネルＡの前記無線放送信号を受信し、前記テレビ局の放送高精細度映像情報を再生し、このとき、前記テレビ局の前記チャンネルＡを現在受信チャンネルとし、前記（１−２）ステップでは、前記現在受信チャンネルの前記無線放送信号の信号強度を検出し、前記（１−３）ステップでは、検出された前記現在受信チャンネルの前記無線放送信号の信号強度が閾値ｔｎ−１より大きい又は同等であるときは、前記（１−２）ステップに戻り、そうでないときは、前記（１−４）ステップに進み、前記（１−４）ステップでは、前記無線通信装置を用いてネットワークにおいて前記テレビ局の前記放送高精細度映像情報と同じ内容のネットワーク高精細度映像情報が存在するか否か探し、前記ネットワーク高精細度映像情報を探し出したときは、前記（１−５）ステップに進み、そうでないときは、前記（１−１２）ステップに進み、前記（１−５）ステップでは、前記ネットワーク高精細度映像情報に対応した前記無線ネットワーク信号の受信を開始し、前記（１−６）ステップでは、検出された前記現在受信チャンネルの前記無線放送信号の信号強度が閾値ｔｎより小さいときは、前記現在受信チャンネルの前記無線放送信号の受信を維持するものの、前記テレビ局の前記放送高精細度映像情報の再生を停止し、前記ネットワーク高精細度映像情報の再生に切替え、前記（１−７）ステップに進み、そうでないときは、前記無線ネットワーク信号の受信を停止し、第１探索処理を行い、ここで、前記閾値ｔｎ−１は前記閾値ｔｎより大きいものとし、前記（１−７）ステップでは、第２探索処理を行い、前記（１−８）ステップでは、前記受信部Ｒｎを用いて前記第２探索処理によって取得された前記テレビ局の某チャンネルＢの前記無線放送信号を受信し、このとき、前記テレビ局の前記チャンネルＢを前記現在受信チャンネルとし、前記現在受信チャンネルの前記無線放送信号の信号強度を検出し、前記（１−９）ステップでは、前記（１−８）ステップで検出された前記現在受信チャンネルの前記無線放送信号の信号強度が前記閾値ｔｎより大きい又は同等であるときは、前記無線ネットワーク信号の受信を停止し、前記ネットワーク高精細度映像情報の再生を停止し、前記テレビ局の前記放送高精細度映像情報の再生に切り替え、前記第１探索処理を行い、前記（１−８）ステップで検出された前記現在受信チャンネルの前記無線放送信号の信号強度が前記閾値ｔｎより小さいときは、前記（１−１０）ステップに進み、前記（１−１０）ステップでは、無線ネットワーク使用料が事前設定値を超えたときは、前記（１−１１）ステップに進み、そうでないときは、前記（１−７）ステップに戻り、前記（１−１１）ステップでは、前記（１−８）ステップで検出された前記現在受信チャンネルの前記無線放送信号の信号強度が閾値ｔｎ＋１より大きい又は同等であるときは、前記無線ネットワーク信号の受信を停止し、前記ネットワークの高精細度映像情報の再生を停止し、前記（１−１２）ステップに進み、そうでないときは、前記（１−７）ステップに戻り、ここで、前記閾値ｔｎは前記閾値ｔｎ＋１より大きいものとし、前記（１−１２）ステップでは、前記テレビ局の放送標準精細度映像情報の再生を開始し、前記テレビ局の前記放送標準精細度映像情報は前記テレビ局の前記放送高精細度映像情報と内容が同じであるが、前記テレビ局の前記放送標準精細度映像情報ほうが前記テレビ局の前記放送高精細度映像情報より精細度が小さく、前記（１−１３）ステップでは、検出された前記現在受信チャンネルの前記無線放送信号の信号強度が前記閾値ｔｎより大きい又は同等であるときは、前記テレビ局の前記放送標準精細度映像情報の再生を停止し、前記テレビ局の前記放送高精細度映像情報の再生に切り替え、前記第１探索処理を行い、検出された前記現在受信チャンネルの前記無線放送信号の信号強度が前記閾値ｔｎより小さいときは、前記（１−１４）ステップに進み、前記（１−１４）ステップでは、前記ネットワーク高精細度映像情報の再生の開始を所望するときは、前記（１−４）ステップに進み、そうでないときは、前記（１−１３）ステップに戻る。
【０００７】
さらに、前記第１探索処理は、（２−１）ステップ、（２−２）ステップ、（２−３）ステップ及び（２−４）ステップを含み、前記（２−１）ステップでは、前記現在受信チャンネルの前記無線放送信号の信号強度を取得し、前記（２−２）ステップでは、前記（２−１）ステップで取得された前記現在受信チャンネルの前記無線放送信号の信号強度が閾値ｔ１より大きい又は同等であるときは、１個の前記高周波受信通信路により構成された受信部Ｒ１を用いて前記現在受信チャンネルの前記無線放送信号を受信するとともに、ｎ−１個の前記高周波受信通信路により構成された探索部Ｓ１を用いて前記探索を行い、前記探索部Ｓ１の前記探索の中に、前記探索部Ｓ１に対応した前記受信部Ｒ１によって受信された前記現在受信チャンネルの前記無線放送信号の信号強度が前記閾値ｔｎ−１より小さいときは、前記探索を停止し、２個の前記高周波受信通信路により構成された受信部Ｒ２を用いて前記現在受信チャンネルの前記無線放送信号を受信し、ｎ−２個の前記高周波受信通信路により構成された探索部Ｓ２を用いて再度前記探索を行い、そうでないときは、前記探索を完了し、前記（２−４）ステップに進み、前記（２−１）ステップで取得された前記現在受信チャンネルの前記無線放送信号の信号強度が閾値ｔ２より大きい又は同等で且つ前記閾値ｔ１より小さいときは、前記受信部Ｒ２を用いて前記現在受信チャンネルの前記無線放送信号を受信するとともに、前記探索部Ｓ２を用いて前記探索を行い、ここで、前記閾値ｔ１は前記閾値ｔ２より大きいものとし、前記探索部Ｓ２の前記探索中に、前記探索部Ｓ２に対応した前記受信部Ｒ２によって受信された前記現在受信チャンネルの前記無線放送信号の信号強度が前記閾値ｔｎ−１より小さいときは、前記探索を停止し、３個の前記高周波受信通信路により構成された受信部Ｒ３を用いて前記現在受信チャンネルの前記無線放送信号を受信し、ｎ−３個の前記高周波受信通信路により構成された受信部Ｓ３を用いて再度前記探索を行い、そうでないときは、前記探索を完了し、前記（２−４）ステップに進み、このように、前記（２−１）ステップで取得された前記現在受信チャンネルの前記無線放送信号の信号強度が閾値ｔｋ（１≦ｋ≦ｎ−１且つｋは自然数である）より大きい又は同等で且つ前記閾値ｔｋ−１より小さいときは、前記受信部ＲＫを用いて前記現在受信チャンネルの前記無線放送信号を受信するとともに、前記探索部ＳＫを用いて前記探索を行い、ここで、前記閾値ｔｋ−１は前記閾値ｔｋより大きいものとし、前記探索部ＳＫの前記探索中に、前記探索部ＳＫに対応した前記受信部ＲＫによって受信された前記現在受信チャンネルの前記無線放送信号の信号強度が前記閾値ｔｎ−１より小さいときは、前記探索を停止し、ｋ＋１個の前記高周波受信通信路により構成された受信部Ｒｋ＋１を用いて前記現在受信チャンネルの前記無線放送信号を受信し、ｎ−ｋ−１個の前記高周波受信通信路により構成された探索部Ｓｋ＋１を用いて再度前記探索を行い、前記探索を完了し、前記（２−４）ステップに進み、前記（２−１）ステップで取得された前記現在受信チャンネルの前記無線放送信号の信号強度が前記閾値ｔｎ−１より小さいときは、前記（２−３）ステップに進み、前記（２−３）ステップでは、前記受信部Ｒｎを用いて前記現在受信チャンネルの前記無線放送信号の信号を受信し、前記受信部Ｒｎによって受信された前記現在受信チャンネルの前記無線放送信号の信号強度が前記閾値ｔｎ−１より小さいときは、前記第１探索処理を終了し、前記（１−４）ステップに進み、そうでないときは、前記（２−１）ステップに戻り、前記（２−４）ステップでは、複数の、前記テレビ局の前記放送高精細度映像情報に対応したチャンネルの前記無線放送信号が探索できたときは、前記受信部Ｒｎを用いて探索された複数の、前記テレビ局の前記放送高精細度映像情報に対応したチャンネルの前記無線放送信号のうちの信号強度が最大である前記無線放送信号を受信し、その対応した前記テレビ局の前記放送高精細度映像情報を再生し、このとき、探索された信号強度が最大である前記無線放送信号のチャンネルを新たな前記現在受信チャンネルとし、前記（２−１）ステップに戻り、１個の、前記テレビ局の前記放送高精細度映像情報に対応したチャンネルの前記無線放送信号しか探索できなかったときは、受信部Ｒｎを用いて探索されたチャンネルの前記無線放送信号を受信し、その対応した前記テレビ局の前記高精細度映像情報を再生し、このとき、探索された前記無線放送信号のチャンネルを新たな前記現在受信チャンネルとし、前記（２−１）ステップに戻る。
【０００８】
さらに、前記閾値ｔｋ、前記閾値ｔｎ、前記閾値ｔｎ＋１は、予め特定された信号強度値であり、前記閾値ｔｎは、受信された前記無線放送信号の信号強度が前記閾値ｔｎより小さいときは、受信された前記無線放送信号に対応した前記高精細度映像情報の連続的な再生ができない閾値として設定され、前記閾値ｔｎ＋１は、受信された前記無線放送信号の信号強度が前記閾値ｔｎ＋１より小さいときは、受信された前記無線放送信号に対応した前記標準精細度映像情報の連続的な再生ができない閾値として設定されている。
【０００９】
さらに、前記第２探索処理は、（４−１）ステップ、（４−２）ステップ、（４−３）ステップ及び（４−４）ステップを含み、前記（４−１）ステップでは、前記受信部Ｒｎを用いて前記現在受信チャンネルの前記無線放送信号を受信し、前記（４−２）ステップでは、検出された前記受信部Ｒｎ中のいずれの前記高周波受信通信路によって受信された前記現在受信チャンネルの前記無線放送信号の信号強度も前記閾値ｔｎ＋１より小さいときは、ｎ個の前記高周波受信通信路のすべてで探索部Ｓｈ１及び探索部Ｓｈ２をそれぞれ構成し、前記探索部Ｓｈ１を用いて半分の前記テレビ放送バンドにおいて前記探索を行い、前記探索部Ｓｈ２を用いてその他の半分の前記テレビ放送バンドにおいて前記探索を行い、ここで、ｎが偶数であるときは、前記探索部Ｓｈ１及び前記探索部Ｓｈ２に含まれる前記高周波受信通信路の個数が同じで、ｎが奇数であるときは、前記探索部Ｓｈ１及び前記探索部Ｓｈ２に含まれる前記高周波受信通信路の個数は１個だけ異なり、前記探索部Ｓｈ１及びＳｈ２によって前記テレビ局の前記放送高精細度映像情報に対応した前記無線放送信号を探索できないときは、２個の前記探索部を１個の探索部Ｓｎに併合して、前記探索部Ｓｎを用いて探索を開始し、前記テレビ局の前記放送高精細度映像情報に対応した前記無線放送信号が探索されるまで探索を行い、前記（４−４）ステップに進み、前記（４−３）ステップでは、検出された前記受信部Ｒｎ中のいずれかの前記高周波受信通信路によって受信された前記現在受信チャンネルの前記無線放送信号の信号強度が前記閾値ｔｎ＋１より大きい又は同等あるときは、前記受信部Ｒ１を用いて前記現在受信チャンネルの前記無線放送信号を受信するとともに、さらに前記探索部Ｓ１を用いて前記探索を行い、前記探索を完了してから前記（４−４）ステップに進み、前記（４−４）ステップでは、複数の、前記テレビ局の前記放送高精細度映像情報に対応したチャンネルの前記無線放送信号が探索できたときは、前記受信部Ｒｎを用いて複数の、前記テレビ局の前記放送高精細度映像情報に対応したチャンネルの前記無線放送信号のうちの信号強度が最大である前記無線放送信号を受信し、その対応したチャンネルを新たな前記現在受信チャンネルとし、前記第２探索処理を終了し、前記（１−８）ステップに進み、１個の、前記テレビ局の前記放送高精細度映像情報に対応したチャンネルの前記無線放送信号しか探索できなかったときは、前記受信部Ｒｎを用いて探索されたチャンネルの前記無線放送信号を受信し、その対応したチャンネルを新たな前記現在受信チャンネルとし、前記第２探索処理を終了し、前記（１−８）ステップに進む。
【発明の効果】
【００１０】
従来技術に対して、本発明は以下の技術的効果を得ることができる。某テレビ局の某チャンネルの無線放送信号が一定レベルまで悪化したものの、なお当該無線放送信号を用いて高精細度映像情報の連続的な視聴ができるときは、無線ネットワークを通じて当該テレビ局のネットワーク高精細度映像情報を受信して、ユーザーが連続的な視聴ができるように保証する。それとともに、ｎ個の高周波受信通信路を受信部と探索部に分けることによって、受信部を用いて当該無線放送信号を受信しながら探索部を用いて同一テレビ局のすべてのチャンネルを探索し、いずれかの上記チャンネルの無線放送信号で放送高精細度映像情報の連続的な視聴が保証できるときは、当該チャンネルの無線放送信号を用いて放送高精細度映像情報を視聴することによって、無線ネットワークの使用料を低減する。
【図面の簡単な説明】
【００１１】
【図１】本発明に係る無線放送信号と無線ネットワーク信号の視聴切替え方法の一の実施形態が適用される車載テレビ視聴システムの構成を示す図である。
【図２】本発明に係る無線放送信号と無線ネットワーク信号の視聴切替え方法の一の実施形態に基づく無線放送信号の信号強度によって設定された閾値を示す図である。
【図３】本発明に係る無線放送信号と無線ネットワーク信号の視聴切替え方法の一の実施形態のフローチャートである。
【図４】本発明に係る無線放送信号と無線ネットワーク信号の視聴切替え方法における第１探索処理の一の実施形態のフローチャートである。
【図５】本発明に係る無線放送信号と無線ネットワーク信号の視聴切替え方法における第２探索処理の一の実施形態のフローチャートである。
【発明を実施するための形態】
【００１２】
以下では、図面及び実施形態に基づいて本発明に係る無線放送信号と無線ネットワーク信号の視聴切替え方法について詳細な説明を行う。ただし、本発明の技術的範囲は、特許請求の範囲に記載の発明及びその均等物に係るものであって、これらの実施形態に限定されるものではない。なお、図面の説明においては、同一又は相当する部分には同一符号を付して、重複する説明を省略する。
【００１３】
図１は、本発明に係る無線放送信号と無線ネットワーク信号の視聴切替え方法の一の実施形態が適用される車載テレビ視聴システムの構成を示す図である。ユーザーは、車載テレビ視聴システム１を用いて車両移動中に無線放送信号及び／又は無線ネットワーク信号を受信し、対応した映像情報（即ち、放送高精細度映像情報、ネットワーク高精細度映像情報、放送標準精細度映像情報）を見ることができる。また、本発明に記載の「高精細度」及び「標準精細度」は、映像情報の精細度を一又は複数の特定の精細度に限定するためのものではなく、「標準精細度」の映像情報に対して「高精細度」の映像情報のほうがより高い精細度を有すると解されるべきものである。また、本実施形態では、１つのチャンネルにおいて、当該チャンネル内の異なる周波数帯域を用いて同一内容の放送高精細度映像情報と放送標準精細度映像情報が同時に放送されるものとする。また、本実施形態では、車載テレビ視聴システム１によって受信される無線ネットワーク信号の信号強度は、基本的に車載テレビ視聴システム１が搭載された車両の移動によって大きな変化が生じない、即ち、車両移動期間中に車載テレビ視聴システム１は終始無線ネットワーク信号を受信でき、対応したネットワーク高精細度映像情報の連続的な再生ができるものとする。また、上記「視聴」とは、某チャンネルの無線放送信号を受信し、当該チャンネルの無線放送信号に対応した放送高精細度映像情報若しくは放送標準精細度映像情報を再生すること、又は某無線ネットワーク信号を受信し、当該無線ネットワーク信号に対応したネットワーク高精細度映像情報を再生すること、をいう。
【００１４】
本実施形態では、車載テレビ視聴システム１は、無線放送受信装置２、無線通信装置３、制御装置４、表示装置５、操作装置６及び記憶装置７を含む。無線放送受信装置２は、無線放送信号を受信及び／又は探索するためのもので、高周波受信通信路２１、２２、２３、２４、復調合成部２５、第１デコード部２６及び第２デコード部２７を含む。
【００１５】
図１に示すように、１つの高周波受信通信路は、１つのアンテナ及び当該アンテナに付随する１つのチューナを含み、且つアンテナ２１１、２２１、２３１、２４１の特性が同じで、チューナ２１２、２２２、２３２、２４２の特性が同じである。高周波受信通信路２１、２２、２３、２４はそれぞれ、某チャンネルの無線放送信号を受信し、当該無線放送信号を復調合成部２５に伝送する。また、制御装置４がチューナ２１２、２２２、２３２、２４２とそれぞれ接続されて、高周波受信通信路２１、２２、２３、２４を、制御装置４によって指定されたチャンネルの無線放送信号を受信するように、制御する。
【００１６】
無線放送信号の受信及び／又は探索中に、無線放送受信装置２に一部の高周波受信通信路を含んで構成された受信部によって某テレビ局の某チャンネルの無線放送信号を受信させるとともに、その他の一部の高周波受信通信路を含んで構成された探索部によって探索をさせることができる。ここで、「探索」とは、探索部を用いてテレビ放送バンドにおいて当該テレビ局のすべてのチャンネルの無線放送信号を逐一受信することをいう。探索対象チャンネルは制御装置の命令に基づいて指定される。
【００１７】
復調合成部２５は、各高周波受信通信路からの無線放送信号をそれぞれ復調して、対応した復調済信号を取得する。また、制御装置４は、復調合成部２５に某合成方式に基づいて受信部の高周波受信通信路からの各復調済信号を復調済受信信号に合成させ、探索部の高周波受信通信路からの各復調済信号を復調済探索信号に合成させる。合成方式の一例として、例えば最大比合成法を用いることができる。また、後に詳細に説明するように、いずれの高周波受信通信路によっても受信部を構成せず、すべての高周波受信通信路により均等に（高周波受信通信路の数が偶数である）又は近似的均等に（高周波受信通信路の数が奇数である）第１探索部及び第２探索部の２つの探索部を構成したときは、第１探索部の高周波受信通信路からの各復調済信号を復調済第１探索信号に合成し、第２探索部の各高周波受信通信路からの各復調済信号を復調済第２探索信号に合成する。ここで、「近似的均等」とは、第１探索部に含まれる高周波受信通信路の数が第２探索部に含まれる高周波受信通信路の数より１つ多い又は１つ少ないことをいう。
【００１８】
復調合成部２５は、復調済受信信号及び復調済探索信号、又は復調済第１探索信号及び復調済第２探索信号から対応したＴＳ（Ｔｒａｎｓｐｏｒｔ  Ｓｔｒｅａｍ）信号を抽出し、対応したＴＳ信号を第１デコード部２６及び第２デコード部２７にそれぞれ伝送する。復調合成部２５は、さらに復調済受信信号の信号強度及び復調済探索信号の信号強度に関する情報、又は復調済第１探索信号の信号強度及び復調済第２探索信号の信号強度に関する情報（例えばＭＥＲ（Ｍｏｄｕｌａｔｉｏｎ  Ｅｒｒｏｒ  Ｒａｔｅ）を制御装置４に送信し、制御装置４による無線放送信号の信号強度の取得に用いられる。
【００１９】
第１デコード部２６と第２デコード部２７は特性が全く同じで、両者とも復調合成部２５からのＴＳ信号に対して同じデコード処理を行って対応した映像情報（放送高精細度映像情報、放送標準精細度映像情報）を取得して制御装置４に送信するために用いることができる。第１デコード部２６及び／又は第２デコード部２７によって取得された映像情報に当該映像情報がどのテレビ局からの情報であるかを判断できる情報（例えばテレビ局の局ロゴ）が含まれているので、制御装置とあわせて受信された又は探索されたチャンネルがどのテレビ局に対応したものかを知ることができる。
【００２０】
無線通信装置３は、無線通信技術を用いて無線ネットワーク信号を受信し、受信した無線ネットワーク信号から対応したネットワーク高精細度映像情報を取得し、当該ネットワーク映像情報を制御装置４に送信する。同時に、制御装置４の命令に基づいて、無線通信装置はさらに特定のテレビ局の無線ネットワーク高精細度映像情報を探すために用いられる。上記無線通信技術の一例として、例えば第３世代移動通信技術（３Ｇ）がある。
【００２１】
制御装置４は、情報処理を行うための機器である。図１に示すように、制御装置４は、チューナ２１２、２２２、２３２、２４２、復調合成部２５、第１デコード部２６、第２デコード部２７、無線通信装置２、表示装置５、操作装置６、記憶装置７とそれぞれ接続されている。
【００２２】
表示装置５は、制御装置４からの某テレビ局の映像情報を表示するために用いられる。後述の無線放送信号と無線ネットワーク信号の視聴切替え方法に基づいて、制御装置４は、第１デコード部２６又は第２デコード部２７によってデコードして得られた某テレビ局の某チャンネルの放送高精細度映像情報、放送標準精細度映像情報及び無線通信装置３によって得された当該テレビ局のネットワーク高精細度映像情報のうちの一つの映像情報を選択して表示装置５に送信して表示する映像情報とする。
【００２３】
操作装置６は、制御装置４に対して情報を入力するため用いられ、例えばキーボードである。操作装置６は、例えばタッチスクリーン等表示装置５と一体化して１つの入力／出力機器としてもよい。
【００２４】
記憶装置７は、制御装置４によって使用されるプログラム、データのために用いられる。
【００２５】
図２は、本発明に係る無線放送信号と無線ネットワーク信号の視聴切替え方法の一の実施形態に基づく無線放送信号の信号強度によって設定された閾値を示す図である。図２の縦軸は信号強度を、横軸は時間を表し、図２における曲線は某信号の時間によって変化する信号強度を表すもので、実際の信号強度の変化趨勢とは関係のないものである。本実施形態では、１つの受信部を構成できる高周波受信通信路の数が最大で４つであるため、受信部を用いて受信する無線放送信号の信号強度に関する閾値を、閾値ｔ１、閾値ｔ２、閾値ｔ３、閾値ｔ４及び閾値ｔ５の５つ設定する。また、これら５つの閾値はすべて、予め特定された、信号強度を示す数値で、且つ閾値ｔ１＞閾値ｔ２＞閾値ｔ３＞閾値ｔ４＞閾値ｔ５を満たすものである。
【００２６】
４つの高周波受信通信路２１、２２、２３、２４のすべてにより構成された１つの受信部を用いて受信した某テレビ局の某チャンネルの無線放送信号の信号強度が閾値ｔ１より大きい又は同等であるときは、いずれか１つの高周波受信通信路により構成された１つの受信部で当該チャンネルに対応した放送高精細度映像情報の連続的な視聴が保証できることを意味する。そのため、このとき、制御装置４は、高周波受信通信路２１、２２、２３、２４を、そのうちのいずれか１つの高周波受信通信路により１つの受信部を構成して当該チャンネルの無線放送信号を受信し、その他の３つの高周波受信通信路により１つの探索部を構成して当該テレビ局のすべてのチャンネルを探索するように、制御する。
【００２７】
４つの高周波受信通信路２１、２２、２３、２４のすべてにより構成された１つの受信部を用いて受信した某テレビ局の某チャンネルの無線放送信号の信号強度が閾値ｔ２より大きい又は同等で且つ閾値ｔ１より小さいときは、いずれか２つの高周波受信通信路により構成された１つの受信部で当該チャンネルに対応した放送高精細度映像情報の連続的な視聴が保証できることを意味する。そのため、このとき、制御装置４は、高周波受信通信路２１、２２、２３、２４を、そのうちのいずれか２つの高周波受信通信路により１つの受信部を構成して当該チャンネルの無線放送信号を受信し、その他の２つの高周波受信通信路により１つの探索部を構成して当該テレビ局のすべてのチャンネルを探索するように、制御する。
【００２８】
４つの高周波受信通信路２１、２２、２３、２４のすべてにより構成された１つの受信部を用いて受信した某テレビ局の某チャンネルの無線放送信号の信号強度が閾値ｔ３より大きい又は同等で且つ閾値ｔ２より小さいときは、いずれか３つの高周波受信通信路により構成された１つの受信部で当該チャンネルに対応した放送高精細度映像情報の連続的な視聴が保証できることを意味する。そのため、このとき、制御装置４は、高周波受信通信路２１、２２、２３、２４を、そのうちのいずれか３つの高周波受信通信路により１つの受信部を構成して当該チャンネルの無線放送信号を受信し、その他の１つの高周波受信通信路により１つの探索部を構成して当該テレビ局のすべてのチャンネルを探索するように、制御する。
【００２９】
４つの高周波受信通信路２１、２２、２３、２４のすべてにより構成された１つの受信部を用いて受信した某テレビ局の某チャンネルの無線放送信号の信号強度が閾値ｔ４より大きい又は同等で且つ閾値ｔ３より小さいときは、４つの高周波受信通信路のすべてにより構成された１つの受信部で当該チャンネルに対応した放送高精細度映像情報の連続的な視聴を保証しなければならないことを意味する。すなわち、当該チャンネルの無線放送信号の信号強度が悪化し続けた（閾値ｔ４より小さい）場合は、４つの高周波受信通信路のすべてにより構成された１つの受信部を用いても当該チャンネルに対応した放送高精細度映像情報の連続的な視聴が保証できないかもしれないことを意味する。そのため、このとき、制御装置４は、高周波受信通信路２１、２２、２３、２４を、４つの高周波受信通信路のすべてにより１つの受信部を構成して当該チャンネルの無線放送信号を受信するように、制御する。また、当該チャンネルの放送高精細度映像情報の連続的な視聴できないときでもすぐに当該放送高精細度映像情報の内容と同じ内容のネットワーク高精細度映像情報を見れるように、制御装置４は、さらに無線通信装置３を用いて例えばインターネット等のネットワークにおいて当該テレビ局のネットワーク高精細度映像情報が存在するか否か探し、当該ネットワーク高精細度映像情報を探し出した場合は、無線通信装置３を用いて当該ネットワーク高精細度映像情報に対応した無線ネットワーク信号を受信する（ただし、当該ネットワーク高精細度映像情報を再生せず、なお上記放送高精細度映像情報を再生する）。
【００３０】
４つの高周波受信通信路２１、２２、２３、２４のすべてにより構成された１つの受信部を用いて受信した某テレビ局の某チャンネルの無線放送信号の信号強度が閾値ｔ５より大きい又は同等で且つ閾値ｔ４より小さいときは、４つの高周波受信通信路のすべてにより構成された１つの受信部を用いても当該チャンネルの無線放送信号に対応した放送高精細度映像情報の連続的な視聴が保証できないかもしれないことを意味する。そのため、当該放送高精細度映像情報の再生を停止し（ただし、なお当該チャンネルの無線放送信号を受信する）、当該テレビ局のネットワーク高精細度映像情報を再生する。また、ネットワーク高精細度映像情報の視聴は無線ネットワーク使用料が発生するため、無線ネットワーク使用料が事前設定値を超えたとき（例えば、以下の方式によって判断することができる。すなわち、当月に使用されたネットワークデータ通信量が所定のデータ通信量を超えたとき、又は当月のネットワーク使用時間が所定時間を超えたとき）は、無線ネットワーク信号の受信を停止し、当該チャンネルの放送標準精細度映像情報を再生する。
【００３１】
４つの高周波受信通信路２１、２２、２３、２４のすべてにより構成された１つの受信部を用いて受信した某テレビ局の某チャンネルの無線放送信号の信号強度が閾値ｔ５より小さいときは、４つの高周波受信通信路のすべてに構成された１つの受信部を用いても当該チャンネルの無線放送信号に対応した放送標準精細度映像情報の連続的な視聴が保証できないかもしれないことを意味する。すなわち、このとき、当該テレビ局の映像情報の視聴を継続するためには、無線通信装置３を用いて当該テレビ局のネットワーク高精細度映像情報を視聴するしかない。
【００３２】
図３は、本発明に係る無線放送信号と無線ネットワーク信号の視聴切替え方法の一の実施形態のフローチャートである。本実施形態では、最初に、ユーザーは操作装置６によって視聴しようとするテレビ局を選択するため、車載テレビ視聴システム１は４つの高周波受信通信路２１、２２、２３、２４のすべてにより構成された受信部Ｒ４を用いて当該テレビ局の某チャンネルＡの無線放送信号を受信し、チャンネルＡの無線放送信号に対応した放送高精細度映像情報を再生する（ステップＳ３０１）。当該チャンネルＡと当該テレビ局の対応関係は既知であって、その対応関係は予め記憶装置７に記憶されている。このとき、当該テレビ局のチャンネルＡを現在受信チャンネルとする。
【００３３】
現在受信チャンネルの無線放送信号を受信するとともに、受信した現在受信チャンネルの無線放送信号について検出を行う（ステップＳ３０２）。ここで、「検出」とは、所定時間間隔毎に、検出対象である無線放送信号の信号強度を取得することをいう。所定時間間隔は例えば１秒とすることができる。
【００３４】
車載テレビ視聴システム１が搭載された車両の移動に伴って、現在受信チャンネルの無線放送信号の信号強度が変化する。ステップＳ３０３として、検出された現在受信チャンネルの無線放送信号の信号強度が前記閾値ｔ３より大きい又は同等であるときは、ステップＳ３０２に戻り、そうでないときは、ステップＳ３０４に進む。
【００３５】
ステップＳ３０４として、車載テレビ視聴システム１の制御装置４は、無線通信装置３を用いてネットワークにおいて当該テレビ局のネットワーク高精細度映像情報が存在するか否か探す。当該ネットワーク高精細度映像情報は当該テレビ局の放送高精細度映像情報と内容が同じである。当該ネットワーク高精細度映像情報を探し出したときは、ネットワーク高精細度映像情報に対応した無線ネットワーク信号の受信を開始し（ステップＳ３０５）、そうでないときは、ステップＳ３１５に進む。また、当該ネットワーク高精細度映像情報と当該テレビ局の放送高精細度映像情報が同期できるように、ステップＳ３０５で一定の時間を要する同期処理を行う。
【００３６】
当該ネットワーク高精細度映像情報と当該テレビ局の放送高精細度映像情報との同期が実現された後に、検出された現在受信チャンネルの無線放送信号の信号強度が閾値ｔ４より小さいか否かを判断する（ステップＳ３０６）。上記判断結果がＹｅｓであるときは、現在受信チャンネルの無線放送信号の受信を維持するものの、当該テレビ局の放送高精細度映像情報の再生を停止し、当該ネットワーク高精細度映像情報の再生に切替え（ステップＳ３０７）、ステップＳ３０９（第２探索処理）に進む。そうでないときは、上記無線ネットワーク信号の受信を停止し、ステップＳ３０８（第１探索処理）に進む。第１探索処理及び第２探索処理については、後述の部分で図４及び図５を参照してそれぞれ詳細に説明する。
【００３７】
受信部Ｒ４を用いて第２探索処理によって取得された当該テレビ局の某チャンネルＢの無線放送信号を受信し、このとき、当該テレビ局のチャンネルＢを現在受信チャンネルとし、現在受信チャンネルの無線放送信号の信号強度を検出する（ステップＳ３１０）。
【００３８】
ステップＳ３１０で検出された現在受信チャンネルの無線放送信号の信号強度が閾値ｔ４より大きい又は同等であるか否かを判断する（ステップＳ３１１）。ステップＳ３１１の判断結果がＹｅｓであるときは、上記無線ネットワーク信号の受信を停止し、対応したネットワーク高精細度映像情報の再生を停止し、当該テレビ局の放送高精細度映像情報の再生に切り替え（ステップＳ３１３）、ステップＳ３０８に進む。このとき、当該テレビ局の放送高精細度映像情報はチャンネルＢの無線放送信号に対応している。ステップＳ３１１の判断結果がＮｏであるときは、さらに無線ネットワーク使用料が事前設定値を超えたか否かを判断する（ステップＳ３１２）。
【００３９】
ステップＳ３１２の判断結果がＹｅｓであるときは、さらにステップＳ３１０で検出された現在受信チャンネルの無線放送信号の信号強度が閾値ｔ５より大きい又は同等であるか否かを判断する（ステップＳ３１４）。ステップＳ３１４の判断結果がＹｅｓであるときは、上記無線ネットワーク信号の受信を停止し、対応したネットワーク高精細度映像情報の再生を停止し、ステップＳ３１５に進み、そうでないときは、ステップＳ３０９に戻る。一方、ステップＳ３１２の判断結果がＮｏであるときは、ステップＳ３０９に戻る。
【００４０】
ステップＳ３１５として、当該テレビ局の放送標準精細度映像情報の再生を開始する。また、検出された現在受信チャンネルの無線放送信号の信号強度が前記閾値ｔ４より大きい又は同等であるか否か判断する（ステップＳ３１６）。ステップＳ３１６の判断結果がＹｅｓであるときは、当該テレビ局の放送標準精細度映像情報の再生を停止し、当該テレビ局の放送高精細度映像情報の再生に切り替え（ステップＳ３１３）、ステップＳ３０８に進み、ステップＳ３１６の判断結果がＮｏであるときは、ステップＳ３１７に進む。ステップＳ３１７で、当該テレビ局のネットワーク高精細度映像情報の再生の開始を所望するときは、ステップＳ３０４に戻り、そうでないときは、ステップＳ３１６に戻る。
【００４１】
図４は、本発明に係る無線放送信号と無線ネットワーク信号の視聴切替え方法における第１探索処理の一の実施形態のフローチャートである。ステップＳ３０６で判断結果がＮｏであるとき又はステップＳ３１３を開始した後は、第１探索処理を行う。
【００４２】
まず、現在受信チャンネルの無線放送信号の信号強度を取得する（ステップＳ４０１）。このとき、車載テレビ視聴システムは受信部Ｒ４を用いて現在受信チャンネルの無線放送信号を受信している。
【００４３】
次いで、ステップＳ４０１で取得された現在受信チャンネルの無線放送信号の信号強度が閾値ｔ１より大きい又は同等であるか否かを判断する（ステップＳ４０２）。ステップＳ４０２の判断結果がＹｅｓであるときは、ステップＳ４０５に進み、そうでないときは、ステップＳ４０３に進む。ステップＳ４０３で、現在受信チャンネルの無線放送信号の信号強度が閾値ｔ１より小さい且つｔ２より大きい又は同等であるか否かを判断する。ステップＳ４０３の判断結果がＹｅｓであるときは、ステップＳ４０９に進み、そうでないときは、ステップＳ４０４に進む。ステップＳ４０４で、現在受信チャンネルの無線放送信号の信号強度が閾値ｔ２より小さい且つｔ３より大きい又は同等であるか否かを判断する。ステップＳ４０４の判断結果がＹｅｓであるときは、ステップＳ４１３に進み、そうでないときは、ステップＳ４１７に進む。
【００４４】
ステップＳ４０５で、４つの高周波受信通信路２１、２２、２３、２４のうちのいずれか１つの高周波受信通信路により構成された受信部Ｒ１を用いて現在受信チャンネルの無線放送信号を受信するとともに、４つの高周波受信通信路２１、２２、２３、２４のうちのその他の３つの高周波受信通信路により構成された探索部Ｓ１を用いてテレビ放送バンド全体において当該テレビ局のすべてのチャンネルを探索する。探索部Ｓ１が探索を開始し（ステップＳ４０６）、探索部Ｓ１の探索中に、探索部Ｓ１に対応した受信部Ｒ１によって受信された現在受信チャンネルの無線放送信号の信号強度が閾値ｔ３より小さいか否かを判断する（ステップＳ４０７）。受信部Ｒ１によって受信された現在受信チャンネルの無線放送信号の信号強度が閾値ｔ３より小さいときは、探索部Ｓ１が探索を停止し（ステップＳ４０８）、ステップＳ４０９に進み、そうでないときは、探索部Ｓ１がテレビ放送バンド全体における当該テレビ局のすべてのチャンネルの探索を完了し（ステップＳ４１９）、ステップＳ４２２に進む。
【００４５】
ステップＳ４０９で、４つの高周波受信通信路２１、２２、２３、２４のうちのいずれか２つの高周波受信通信路により構成された受信部Ｒ２を用いて現在受信チャンネルの無線放送信号を受信するとともに、４つの高周波受信通信路２１、２２、２３、２４のうちのその他の２つの高周波受信通信路により構成された探索部Ｓ２を用いてテレビ放送バンド全体において当該テレビ局のすべてのチャンネルを探索する。探索部Ｓ２が探索を開始し（ステップＳ４１０）、探索部Ｓ２の探索中に、探索部Ｓ２に対応した受信部Ｒ２によって受信された現在受信チャンネルの無線放送信号の信号強度が閾値ｔ３より小さいか否かを判断する（ステップＳ４１１）。受信部Ｒ２によって受信された現在受信チャンネルの無線放送信号の信号強度が閾値ｔ３より小さいときは、探索部Ｓ２が探索を停止し（ステップＳ４１２）、ステップＳ４１３に進み、そうでないときは、探索部Ｓ２がテレビ放送バンド全体における当該テレビ局のすべてのチャンネルの探索を完了し（ステップＳ４２０）、ステップＳ４２２に進む。
【００４６】
ステップＳ４１３で、４つの高周波受信通信路２１、２２、２３、２４のうちのいずれか３つの高周波受信通信路により構成された受信部Ｒ３を用いて現在受信チャンネルの無線放送信号を受信するとともに、４つの高周波受信通信路２１、２２、２３、２４のうちのその他の１つの高周波受信通信路により構成された探索部Ｓ３を用いてテレビ放送バンド全体において当該テレビ局のすべてのチャンネルを探索する。探索部Ｓ３が探索を開始し（ステップＳ４１４）、探索部Ｓ３の探索中に、探索部Ｓ３に対応した受信部Ｒ３によって受信された現在受信チャンネルの無線放送信号の信号強度が閾値ｔ３より小さいか否かを判断する（ステップＳ４１５）。受信部Ｒ３によって受信された現在受信チャンネルの無線放送信号の信号強度が閾値ｔ３より小さいときは、探索部Ｓ３が探索を停止し（ステップＳ４１６）、ステップＳ４１７に進み、そうでないときは、探索部Ｓ３がテレビ放送バンド全体における当該テレビ局のすべてのチャンネルの探索を完了し（ステップＳ４２１）、ステップＳ４２２に進む。
【００４７】
ステップＳ４１７で、受信部Ｒ４を用いて現在受信チャンネルの無線放送信号を受信する。受信部Ｒ４によって受信された現在受信チャンネルの無線放送信号の信号強度が閾値ｔ３より小さいときは、第１探索処理を終了し、ステップＳ３０４に進み、そうでないときは、ステップＳ４０１に戻る。
【００４８】
ステップＳ４２２で、複数の当該テレビ局の放送高精細度映像情報に対応したチャンネルの無線放送信号が探索された否か判断する。ステップＳ４２２の判断結果がＹｅｓであるときは、受信部Ｒ４を用いて探索された上記複数の当該テレビ局の放送高精細度映像情報に対応したチャンネルの無線放送信号のうちの信号強度が最大である無線放送信号を受信し、その対応した当該テレビ局の放送高精細度映像情報を再生する（ステップＳ４２３）。このとき、探索された信号強度が最大である無線放送信号のチャンネルを新たな現在受信チャンネルとし、ステップＳ４０１に戻る。また、１つの当該テレビ局のチャンネルが探索されたときは、当該チャンネルの無線放送信号の信号強度を、ステップＳ４２２で当該テレビ局の他のチャンネルの無線放送信号の信号強度と比較する当該チャンネルの無線放送信号の信号強度とする。
【００４９】
ステップＳ４２２の判断結果がＮｏであるときは、受信部Ｒ４を用いて探索された無線放送信号を受信し、その対応した当該テレビ局の高精細度映像情報を再生する（ステップＳ４２４）。このとき、探索された無線放送信号のチャンネルを新たな現在受信チャンネルとし、ステップＳ４０１に戻る。
【００５０】
図５は、本発明に係る無線放送信号と無線ネットワーク信号の視聴切替え方法における第２探索処理の一の実施形態のフローチャートである。
【００５１】
まず、受信部Ｒ４を用いて前記現在受信チャンネルの前記無線放送信号を受信する（ステップＳ５０１）。
【００５２】
検出された受信部Ｒ４中のいずれか一つの高周波受信通信路によって受信された現在受信チャンネルの無線放送信号の信号強度が閾値ｔ５より大きい又は同等である否かを判断する（ステップＳ５０２）。
【００５３】
ステップＳ５０２の判断結果がＮｏであるときは、４つの高周波受信通信路２１、２２、２３、２４のすべてを２つのグループに分けて、探索部Ｓｈ１及び探索部Ｓｈ２をそれぞれ構成し、探索部Ｓｈ１を用いて半分のテレビ放送バンドにおいて探索し、探索部Ｓｈ２を用いてその他の半分のテレビ放送バンドにおいて探索する（ステップＳ５０３）。ここで、探索部Ｓｈ１及び探索部Ｓｈ２は、それぞれ２つの高周波受信通信路を含むものとする。次いで、探索部Ｓｈ１及び探索部Ｓｈ２の両方とも各自の探索を完了したときは、前記テレビ局の放送高精細度映像情報に対応した無線放送信号が探索されたか否かを判断する（ステップＳ５０４）。ステップＳ５０４の判断結果がＹｅｓのときは、ステップＳ５０７に進む。そうでないときは、探索部Ｓｈ１及び探索部Ｓｈ２を４つの高周波受信通信路２１、２２、２３、２４のすべてにより構成した１つの探索部Ｓ４に併合して、探索部Ｓ４を用いて探索を開始し、当該テレビ局の放送高精細度映像情報に対応した無線放送信号が探索されるまでに探索する（ステップＳ５０５）。
【００５４】
ステップＳ５０２の判断結果がＹｅｓのときは、ステップＳ５０６を実行する、すなわち、受信部Ｒ１を用いて現在受信チャンネルの無線放送信号を受信するとともに、探索部Ｓ１を用いて前記探索を行い、探索を完了した後にステップＳ５０７に進む。
【００５５】
ステップＳ５０７で、複数の、当該テレビ局の放送高精細度映像情報に対応したチャンネルの無線放送信号が探索されたか否かを判断する。ステップＳ５０７の判断結果がＹｅｓであるときは、ステップＳ５０８を実行する、即ち受信部Ｒ４を用いて複数の、当該テレビ局の放送高精細度映像情報に対応したチャンネルの無線放送信号のうち信号強度が最大である無線放送信号を受信し、その対応したチャンネルを新たな現在受信チャンネルとし、第２探索処理を終了し、ステップＳ３１０に進む。また、当該テレビ局の１つのチャンネルが探索されたときは、当該チャンネルの無線放送信号の信号強度をステップＳ５０７で当該テレビ局のその他のチャンネルの無線放送信号の信号強度と比較する当該チャンネルの無線放送信号の信号強度とする。
【００５６】
ステップＳ５０７の判断結果がＮｏであるときは、ステップＳ５０９を実行する、即ち受信部Ｒ４を用いて探索されたその１つのチャンネルの無線放送信号を受信し、その対応したチャンネルを新たな現在受信チャンネルとし、第２探索処理を終了し、ステップＳ３１０に進む。
【００５７】
以上では図面及び実施形態に基づいて本発明について具体的に説明したが、上記説明はいかなる形式においても本発明を限定するものではないと解される。当業者は本発明の主旨及び範囲を逸脱しない情況で必要に応じて本発明に対して変形や変更を行うことができ、これらの変形や変更も本発明の範囲に含まれるものとする。
【図１】
2015211467.tif 000003
【図２】
2015211467.tif 000004
【図３】
2015211467.tif 000005
【図４】
2015211467.tif 000006
【図５】
2015211467.tif 000007
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
複数の高周波受信通信路と、復調合成部と、デコード部とから構成され、無線放送信号を受信する無線放送受信装置と、
無線ネットワーク信号を受信する無線通信装置と、
前記無線放送信号の信号強度を検出して、閾値と比較し、その比較結果に応じて前記無線放送信号または前記無線ネットワーク信号のいずれかの映像情報を出力映像情報として選択する制御装置と、
前記制御装置で選択された前記出力映像情報を出力する表示装置と、
を備えることを特徴とする車載テレビ視聴システム。
【請求項２】
前記無線放送受信装置はｎ（ｎは２以上の整数である。）個の高周波受信通信路を含み、少なくともｎ個の閾値（以下、第１閾値〜第ｎ閾値と示し、当該第１閾値が最大で、順に、小さい値をとる。）が予め設定されており、
前記制御装置は、
検出された、現在受信中のチャンネルである現在受信チャンネルの無線放送信号の信号強度が前記第ｎ−１閾値以上であるときは、前記現在受信チャンネルの無線放送信号の高精細度映像情報を前記出力映像情報として選択し、
検出された前記現在受信チャンネルの無線放送信号の信号強度が前記第ｎ−１閾値より小さいときは、前記無線通信装置に前記無線ネットワーク信号の受信を開始させ、
検出された前記現在受信チャンネルの無線放送信号の信号強度が前記第ｎ閾値より小さくなると、前記無線ネットワーク信号の映像情報を前記出力映像情報として選択する
ことを特徴とする前記請求項１に記載の車載テレビ視聴システム。
【請求項３】
前記制御装置は、複数の前記高周波受信通信路を受信グループまたは探索グループのいずれかにグループ分けし、前記受信グループによって前記現在受信チャンネルの無線放送信号の受信を継続し、前記探索グループによって前記現在受信チャンネルに係る放送局のすべてのチャンネルの探索を行うように制御する
ことを特徴とする前記請求項２に記載の車載テレビ視聴システム。
【請求項４】
前記制御装置は、
検出された前記現在受信チャンネルの無線放送信号の信号強度が前記第ｎ閾値以上であるときは、当該信号強度をさらに前記第１閾値〜前記第ｎ−１閾値と順に比較し、
検出された前記現在受信チャンネルの無線放送信号の信号強度が、前記第１閾値〜前記第ｎ−１閾値のうちの大きい方からｋ番目の閾値と比較して、ｋ番目の閾値以上であるもののｋ−１番目の閾値より小さい（ただし、前記第１閾値と比較する場合は前記第１閾値以上である）ときは、ｎ個の前記高周波受信通信路のうち、ｋ個を前記受信グループにグループ分けして前記現在受信チャンネルの無線放送信号の受信を継続させるとともに、残りがある場合は残りを前記探索グループにグループ分けして前記探索を行わせ、
前記探索によって前記現在受信チャンネルの無線放送信号の映像情報と同内容の映像情報に係る無線放送信号である同内容無線放送信号が探出されたときは、探出されたすべての前記同内容無線放送信号の信号強度を検出し、最大信号強度の前記同内容無線放送信号に係るチャンネルを現在受信チャンネルとするように制御する
ことを特徴とする前記請求項３に記載の車載テレビ視聴システム。
【請求項５】
前記制御装置は、
検出された前記現在受信チャンネルの無線放送信号の信号強度が前記第ｎ閾値より小さいときは、
ｎ個の前記高周波受信通信路を、ｎが偶数であるときは同数になるように、ｎが奇数であるときはいずれかが一つ多くなるように二つの前記探索グループにグループ分けして、前記探索を行わせ、
いずれの前記探索グループによっても前記同内容無線放送信号が探出されなかったときは、ｎ個の前記高周波受信通信路のすべてを一つの前記探索グループにグループ分けして、前記同内容無線放送信号が探出されるまで、前記探索を行わせ、
いずれかの前記探索グループによって前記同内容無線放送信号が探出されたときは、探出されたすべての前記同内容無線放送信号の信号強度を検出し、最大信号強度の前記同内容無線放送信号に係るチャンネルを現在受信チャンネルとするように制御する
ことを特徴とする前記請求項３又は４に記載の車載テレビ視聴システム。
【請求項６】
前記第１閾値は、受信信号強度が当該閾値以上であれば、少なくとも１個の前記高周波受信通信路によって受信した前記無線放送信号で連続的な高精細度映像情報の視聴が可能である値、
前記第２閾値は、受信信号強度が当該閾値以上であれば、少なくとも２個の前記高周波受信通信路によって受信した前記無線放送信号で連続的な高精細度映像情報の視聴が可能である値、
前記第３閾値は、受信信号強度が当該閾値以上であれば、少なくとも３個の前記高周波受信通信路によって受信した前記無線放送信号で連続的な高精細度映像情報の視聴が可能である値、
前記第４閾値は、受信信号強度が当該閾値以上であれば、少なくとも４個の前記高周波受信通信路によって受信した前記無線放送信号で連続的な高精細度映像情報の視聴が可能である値、
この順に、前記第ｎ閾値は、受信信号強度が当該閾値以上であれば、ｎ個の前記高周波受信通信路によって受信した前記無線放送信号で連続的な高精細度映像情報の視聴が可能である値、となるように予め設定されている
ことを特徴とする前記請求項２〜５のいずれか一項に記載の車載テレビ視聴システム。
【請求項７】
少なくともさらに、第ｎ+１閾値（ただし、前記第ｎ閾値＞当該第ｎ+１閾値）が予め定められており、
前記制御装置は、
さらに、前記無線ネットワークの通信量が設定値を超えているか否かを判断し、
前記無線ネットワークの通信量が前記設定値を超えている場合において、検出された前記現在受信チャンネルの無線放送信号の信号強度が前記第ｎ閾値より小さいものの前記第ｎ+１閾値以上であるときは、前記無線ネットワーク信号の映像情報ではなく、前記現在受信チャンネルの無線放送信号の標準精細度映像情報を前記出力映像情報として選択する
ことを特徴とする前記請求項２〜６のいずれか一項に記載の車載テレビ視聴システム。
【請求項８】
無線放送信号を受信する無線放送受信ステップと、
無線ネットワーク信号を受信する無線通信ステップと、
前記無線放送信号の信号強度を検出して、閾値と比較し、その比較結果に応じて前記無線放送信号または前記無線ネットワーク信号のいずれかの映像情報を出力映像情報として選択する制御ステップと、
前記制御ステップで選択された前記出力映像情報を出力する表示ステップと、
を含むことを特徴とする無線放送信号と無線ネットワーク信号の視聴切替え方法。
【請求項９】
少なくともｎ個の閾値（以下、第１閾値〜第ｎ閾値と示し、当該第１閾値が最大で、順に、小さい値をとる。）が予め設定されており、
前記制御ステップでは、
検出された、現在受信中のチャンネルである現在受信チャンネルの無線放送信号の信号強度が前記第ｎ−１閾値以上であるときは、前記現在受信チャンネルの無線放送信号の高精細度映像情報を前記出力映像情報として選択し、
検出された前記現在受信チャンネルの無線放送信号の信号強度が前記第ｎ−１閾値より小さいときは、前記無線ネットワーク信号の受信を開始させ、
検出された前記現在受信チャンネルの無線放送信号の信号強度が前記第ｎ閾値より小さくなると、前記無線ネットワーク信号の映像情報を前記出力映像情報として選択する
ことを特徴とする前記請求項８に記載の無線放送信号と無線ネットワーク信号の視聴切替え方法。
【請求項１０】
少なくともさらに、第ｎ+１閾値（ただし、前記第ｎ閾値＞当該第ｎ+１閾値）が予め定められており、
前記制御ステップでは、
さらに、前記無線ネットワークの通信量が設定値を超えているか否かを判断し、
前記無線ネットワークの通信量が前記設定値を超えている場合において、検出された前記現在受信チャンネルの無線放送信号の信号強度が前記第ｎ閾値より小さいものの前記第ｎ+１閾値以上であるときは、前記無線ネットワーク信号の映像情報ではなく、前記現在受信チャンネルの無線放送信号の標準精細度映像情報を前記出力映像情報として選択する
ことを特徴とする前記請求項９に記載の無線放送信号と無線ネットワーク信号の視聴切替え方法。
【手続補正２】
【補正対象書類名】明細書
【補正対象項目名】０００６
【補正方法】変更
【補正の内容】
【０００６】
上記課題を解決するために、本発明に係る、車載テレビ視聴システムは、複数の高周波受信通信路と、復調合成部と、デコード部とから構成され、無線放送信号を受信する無線放送受信装置と、無線ネットワーク信号を受信する無線通信装置と、前記無線放送信号の信号強度を検出して、閾値と比較し、その比較結果に応じて前記無線放送信号または前記無線ネットワーク信号のいずれかの映像情報を出力映像情報として選択する制御装置と、前記制御装置で選択された前記出力映像情報を出力する表示装置と、を備える。
【手続補正３】
【補正対象書類名】明細書
【補正対象項目名】０００７
【補正方法】変更
【補正の内容】
【０００７】
上記課題を解決するために、本発明に係る、無線放送信号と無線ネットワーク信号の視聴切替え方法は、無線放送信号を受信する無線放送受信ステップと、無線ネットワーク信号を受信する無線通信ステップと、前記無線放送信号の信号強度を検出して、閾値と比較し、その比較結果に応じて前記無線放送信号または前記無線ネットワーク信号のいずれかの映像情報を出力映像情報として選択する制御ステップと、前記制御ステップで選択された前記出力映像情報を出力する表示ステップと、を含む。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００５７
【補正方法】変更
【補正の内容】
【００５７】
以上では図面及び実施形態に基づいて本発明について具体的に説明したが、上記説明はいかなる形式においても本発明を限定するものではないと解される。当業者は本発明の主旨及び範囲を逸脱しない情況で必要に応じて本発明に対して変形や変更を行うことができ、これらの変形や変更も本発明の範囲に含まれるものとする。
また、本発明において、例えば、
無線放送信号と無線ネットワーク信号の視聴切替え方法は、ｎ（ｎ≧２且つｎは自然数である）個の高周波受信通信路を有する無線放送受信装置によって前記無線放送信号を受信及び／又は探索し、１個の無線通信装置によって前記無線ネットワーク信号を受信し、１個の前記高周波受信通信路は１個のアンテナと前記アンテナに付随する１個のチューナを含み、且つ各前記アンテナの特性が同じで、各前記チューナの特性が同じであり、前記無線放送信号の受信及び／又は探索中に、前記無線放送受信装置に一部の前記高周波受信通信路を含んで構成された受信部によって某テレビ局の某チャンネルＡの前記無線放送信号を受信させるとともに、その他の一部の前記高周波受信通信路を含んで構成された探索部によって探索をさせることができ、前記探索とはテレビ放送バンドにおいて前記テレビ局のすべてのチャンネルの前記無線放送信号を逐一受信することをいい、
本発明に係る無線放送信号と無線ネットワーク信号の視聴切替え方法は、（１−１）ステップ、（１−２）ステップ、（１−３）ステップ、（１−４）ステップ、（１−５）ステップ、（１−６）ステップ、（１−７）ステップ、（１−８）ステップ、（１−９）ステップ、（１−１０）ステップ、（１−１１）ステップ、（１−１２）ステップ、（１−１３）ステップ、及び（１−１４）ステップを含み、前記（１−１）ステップでは、ｎ個の前記高周波受信通信路のすべてにより構成された受信部Ｒｎを用いて前記テレビ局の前記チャンネルＡの前記無線放送信号を受信し、前記テレビ局の放送高精細度映像情報を再生し、このとき、前記テレビ局の前記チャンネルＡを現在受信チャンネルとし、前記（１−２）ステップでは、前記現在受信チャンネルの前記無線放送信号の信号強度を検出し、前記（１−３）ステップでは、検出された前記現在受信チャンネルの前記無線放送信号の信号強度が閾値ｔｎ−１より大きい又は同等であるときは、前記（１−２）ステップに戻り、そうでないときは、前記（１−４）ステップに進み、前記（１−４）ステップでは、前記無線通信装置を用いてネットワークにおいて前記テレビ局の前記放送高精細度映像情報と同じ内容のネットワーク高精細度映像情報が存在するか否か探し、前記ネットワーク高精細度映像情報を探し出したときは、前記（１−５）ステップに進み、そうでないときは、前記（１−１２）ステップに進み、前記（１−５）ステップでは、前記ネットワーク高精細度映像情報に対応した前記無線ネットワーク信号の受信を開始し、前記（１−６）ステップでは、検出された前記現在受信チャンネルの前記無線放送信号の信号強度が閾値ｔｎより小さいときは、前記現在受信チャンネルの前記無線放送信号の受信を維持するものの、前記テレビ局の前記放送高精細度映像情報の再生を停止し、前記ネットワーク高精細度映像情報の再生に切替え、前記（１−７）ステップに進み、そうでないときは、前記無線ネットワーク信号の受信を停止し、第１探索処理を行い、ここで、前記閾値ｔｎ−１は前記閾値ｔｎより大きいものとし、前記（１−７）ステップでは、第２探索処理を行い、前記（１−８）ステップでは、前記受信部Ｒｎを用いて前記第２探索処理によって取得された前記テレビ局の某チャンネルＢの前記無線放送信号を受信し、このとき、前記テレビ局の前記チャンネルＢを前記現在受信チャンネルとし、前記現在受信チャンネルの前記無線放送信号の信号強度を検出し、前記（１−９）ステップでは、前記（１−８）ステップで検出された前記現在受信チャンネルの前記無線放送信号の信号強度が前記閾値ｔｎより大きい又は同等であるときは、前記無線ネットワーク信号の受信を停止し、前記ネットワーク高精細度映像情報の再生を停止し、前記テレビ局の前記放送高精細度映像情報の再生に切り替え、前記第１探索処理を行い、前記（１−８）ステップで検出された前記現在受信チャンネルの前記無線放送信号の信号強度が前記閾値ｔｎより小さいときは、前記（１−１０）ステップに進み、前記（１−１０）ステップでは、無線ネットワーク使用料が事前設定値を超えたときは、前記（１−１１）ステップに進み、そうでないときは、前記（１−７）ステップに戻り、前記（１−１１）ステップでは、前記（１−８）ステップで検出された前記現在受信チャンネルの前記無線放送信号の信号強度が閾値ｔｎ＋１より大きい又は同等であるときは、前記無線ネットワーク信号の受信を停止し、前記ネットワークの高精細度映像情報の再生を停止し、前記（１−１２）ステップに進み、そうでないときは、前記（１−７）ステップに戻り、ここで、前記閾値ｔｎは前記閾値ｔｎ＋１より大きいものとし、前記（１−１２）ステップでは、前記テレビ局の放送標準精細度映像情報の再生を開始し、前記テレビ局の前記放送標準精細度映像情報は前記テレビ局の前記放送高精細度映像情報と内容が同じであるが、前記テレビ局の前記放送標準精細度映像情報ほうが前記テレビ局の前記放送高精細度映像情報より精細度が小さく、前記（１−１３）ステップでは、検出された前記現在受信チャンネルの前記無線放送信号の信号強度が前記閾値ｔｎより大きい又は同等であるときは、前記テレビ局の前記放送標準精細度映像情報の再生を停止し、前記テレビ局の前記放送高精細度映像情報の再生に切り替え、前記第１探索処理を行い、検出された前記現在受信チャンネルの前記無線放送信号の信号強度が前記閾値ｔｎより小さいときは、前記（１−１４）ステップに進み、前記（１−１４）ステップでは、前記ネットワーク高精細度映像情報の再生の開始を所望するときは、前記（１−４）ステップに進み、そうでないときは、前記（１−１３）ステップに戻る。
さらに、前記第１探索処理は、（２−１）ステップ、（２−２）ステップ、（２−３）ステップ及び（２−４）ステップを含み、前記（２−１）ステップでは、前記現在受信チャンネルの前記無線放送信号の信号強度を取得し、前記（２−２）ステップでは、前記（２−１）ステップで取得された前記現在受信チャンネルの前記無線放送信号の信号強度が閾値ｔ１より大きい又は同等であるときは、１個の前記高周波受信通信路により構成された受信部Ｒ１を用いて前記現在受信チャンネルの前記無線放送信号を受信するとともに、ｎ−１個の前記高周波受信通信路により構成された探索部Ｓ１を用いて前記探索を行い、前記探索部Ｓ１の前記探索の中に、前記探索部Ｓ１に対応した前記受信部Ｒ１によって受信された前記現在受信チャンネルの前記無線放送信号の信号強度が前記閾値ｔｎ−１より小さいときは、前記探索を停止し、２個の前記高周波受信通信路により構成された受信部Ｒ２を用いて前記現在受信チャンネルの前記無線放送信号を受信し、ｎ−２個の前記高周波受信通信路により構成された探索部Ｓ２を用いて再度前記探索を行い、そうでないときは、前記探索を完了し、前記（２−４）ステップに進み、前記（２−１）ステップで取得された前記現在受信チャンネルの前記無線放送信号の信号強度が閾値ｔ２より大きい又は同等で且つ前記閾値ｔ１より小さいときは、前記受信部Ｒ２を用いて前記現在受信チャンネルの前記無線放送信号を受信するとともに、前記探索部Ｓ２を用いて前記探索を行い、ここで、前記閾値ｔ１は前記閾値ｔ２より大きいものとし、前記探索部Ｓ２の前記探索中に、前記探索部Ｓ２に対応した前記受信部Ｒ２によって受信された前記現在受信チャンネルの前記無線放送信号の信号強度が前記閾値ｔｎ−１より小さいときは、前記探索を停止し、３個の前記高周波受信通信路により構成された受信部Ｒ３を用いて前記現在受信チャンネルの前記無線放送信号を受信し、ｎ−３個の前記高周波受信通信路により構成された受信部Ｓ３を用いて再度前記探索を行い、そうでないときは、前記探索を完了し、前記（２−４）ステップに進み、このように、前記（２−１）ステップで取得された前記現在受信チャンネルの前記無線放送信号の信号強度が閾値ｔｋ（１≦ｋ≦ｎ−１且つｋは自然数である）より大きい又は同等で且つ前記閾値ｔｋ−１より小さいときは、前記受信部ＲＫを用いて前記現在受信チャンネルの前記無線放送信号を受信するとともに、前記探索部ＳＫを用いて前記探索を行い、ここで、前記閾値ｔｋ−１は前記閾値ｔｋより大きいものとし、前記探索部ＳＫの前記探索中に、前記探索部ＳＫに対応した前記受信部ＲＫによって受信された前記現在受信チャンネルの前記無線放送信号の信号強度が前記閾値ｔｎ−１より小さいときは、前記探索を停止し、ｋ＋１個の前記高周波受信通信路により構成された受信部Ｒｋ＋１を用いて前記現在受信チャンネルの前記無線放送信号を受信し、ｎ−ｋ−１個の前記高周波受信通信路により構成された探索部Ｓｋ＋１を用いて再度前記探索を行い、前記探索を完了し、前記（２−４）ステップに進み、前記（２−１）ステップで取得された前記現在受信チャンネルの前記無線放送信号の信号強度が前記閾値ｔｎ−１より小さいときは、前記（２−３）ステップに進み、前記（２−３）ステップでは、前記受信部Ｒｎを用いて前記現在受信チャンネルの前記無線放送信号の信号を受信し、前記受信部Ｒｎによって受信された前記現在受信チャンネルの前記無線放送信号の信号強度が前記閾値ｔｎ−１より小さいときは、前記第１探索処理を終了し、前記（１−４）ステップに進み、そうでないときは、前記（２−１）ステップに戻り、前記（２−４）ステップでは、複数の、前記テレビ局の前記放送高精細度映像情報に対応したチャンネルの前記無線放送信号が探索できたときは、前記受信部Ｒｎを用いて探索された複数の、前記テレビ局の前記放送高精細度映像情報に対応したチャンネルの前記無線放送信号のうちの信号強度が最大である前記無線放送信号を受信し、その対応した前記テレビ局の前記放送高精細度映像情報を再生し、このとき、探索された信号強度が最大である前記無線放送信号のチャンネルを新たな前記現在受信チャンネルとし、前記（２−１）ステップに戻り、１個の、前記テレビ局の前記放送高精細度映像情報に対応したチャンネルの前記無線放送信号しか探索できなかったときは、受信部Ｒｎを用いて探索されたチャンネルの前記無線放送信号を受信し、その対応した前記テレビ局の前記高精細度映像情報を再生し、このとき、探索された前記無線放送信号のチャンネルを新たな前記現在受信チャンネルとし、前記（２−１）ステップに戻る。
さらに、前記閾値ｔｋ、前記閾値ｔｎ、前記閾値ｔｎ＋１は、予め特定された信号強度値であり、前記閾値ｔｎは、受信された前記無線放送信号の信号強度が前記閾値ｔｎより小さいときは、受信された前記無線放送信号に対応した前記高精細度映像情報の連続的な再生ができない閾値として設定され、前記閾値ｔｎ＋１は、受信された前記無線放送信号の信号強度が前記閾値ｔｎ＋１より小さいときは、受信された前記無線放送信号に対応した前記標準精細度映像情報の連続的な再生ができない閾値として設定されている。
さらに、前記第２探索処理は、（４−１）ステップ、（４−２）ステップ、（４−３）ステップ及び（４−４）ステップを含み、前記（４−１）ステップでは、前記受信部Ｒｎを用いて前記現在受信チャンネルの前記無線放送信号を受信し、前記（４−２）ステップでは、検出された前記受信部Ｒｎ中のいずれの前記高周波受信通信路によって受信された前記現在受信チャンネルの前記無線放送信号の信号強度も前記閾値ｔｎ＋１より小さいときは、ｎ個の前記高周波受信通信路のすべてで探索部Ｓｈ１及び探索部Ｓｈ２をそれぞれ構成し、前記探索部Ｓｈ１を用いて半分の前記テレビ放送バンドにおいて前記探索を行い、前記探索部Ｓｈ２を用いてその他の半分の前記テレビ放送バンドにおいて前記探索を行い、ここで、ｎが偶数であるときは、前記探索部Ｓｈ１及び前記探索部Ｓｈ２に含まれる前記高周波受信通信路の個数が同じで、ｎが奇数であるときは、前記探索部Ｓｈ１及び前記探索部Ｓｈ２に含まれる前記高周波受信通信路の個数は１個だけ異なり、前記探索部Ｓｈ１及びＳｈ２によって前記テレビ局の前記放送高精細度映像情報に対応した前記無線放送信号を探索できないときは、２個の前記探索部を１個の探索部Ｓｎに併合して、前記探索部Ｓｎを用いて探索を開始し、前記テレビ局の前記放送高精細度映像情報に対応した前記無線放送信号が探索されるまで探索を行い、前記（４−４）ステップに進み、前記（４−３）ステップでは、検出された前記受信部Ｒｎ中のいずれかの前記高周波受信通信路によって受信された前記現在受信チャンネルの前記無線放送信号の信号強度が前記閾値ｔｎ＋１より大きい又は同等あるときは、前記受信部Ｒ１を用いて前記現在受信チャンネルの前記無線放送信号を受信するとともに、さらに前記探索部Ｓ１を用いて前記探索を行い、前記探索を完了してから前記（４−４）ステップに進み、前記（４−４）ステップでは、複数の、前記テレビ局の前記放送高精細度映像情報に対応したチャンネルの前記無線放送信号が探索できたときは、前記受信部Ｒｎを用いて複数の、前記テレビ局の前記放送高精細度映像情報に対応したチャンネルの前記無線放送信号のうちの信号強度が最大である前記無線放送信号を受信し、その対応したチャンネルを新たな前記現在受信チャンネルとし、前記第２探索処理を終了し、前記（１−８）ステップに進み、１個の、前記テレビ局の前記放送高精細度映像情報に対応したチャンネルの前記無線放送信号しか探索できなかったときは、前記受信部Ｒｎを用いて探索されたチャンネルの前記無線放送信号を受信し、その対応したチャンネルを新たな前記現在受信チャンネルとし、前記第２探索処理を終了し、前記（１−８）ステップに進む。